(57)【要約】【課題】  広い角度でＬＥＤ発光素子からの光を照射することが可能な照明装置を提供する。【解決手段】  本実施例装置の指示体６は、上側半分の上方部分６−１と下方部分６−２とからなる。下方部分６−２は断面が略半球状であり、下方部分６−２の表面に沿うようにフレキシブルプリント基板５が接着される。又、フレキシブルプリント基板５の略中央にはＬＥＤ４−１が配置されており、左右両側には、ＬＥＤ４−２、ＬＥＤ４−３が配置されている。ＬＥＤ４−１からの光は照明装置の底面側方向に向かって放射され、一方、ＬＥＤ４−２、４−３は、ＬＥＤ４−１を基準として夫々約７０度〜８０度の角度で配置されているため、照明装置の底面側を基準として約７０度〜８０度の方向までも光を照射することが可能である。【選択図】  図４
2011228200.tif 000002
【特許請求の範囲】
【請求項１】
複数の半導体発光素子を搭載したフレキシブル基板と、上方部分と下方部分の２つの部分からなると共に前記下方部分の断面が半球状であり前記フレキシブルプリント基板を固定するための支持部材と、をカバー内に配置した照明装置であり、
前記支持部材の前記下方部分に、当該下方部分の半球状部分表面に沿うように前記フレキシブルプリント基板を装着したことを特徴とする照明装置。
【請求項２】
請求項１に記載の照明装置であり、前記フレキシブルプリント基板にはその短手方向の両側と中央に半導体発光素子が配置されることを特徴とする照明装置。
【発明の詳細な説明】
【技術分野】
【０００１】
本発明はＬＥＤ等の発光素子を搭載した照明装置に関する。
【背景技術】
【０００２】
近年では、従来の蛍光灯に代わる照明装置として、ＬＥＤ（Ｌｉｇｈｔ  Ｅｍｉｔｔｉｎｇ  Ｄｉｏｄｅ）を搭載した照明装置が製品化されている。
【０００３】
このようなＬＥＤを搭載した照明装置は、従来の蛍光灯に比べて消費電力が少なく、更には耐久時間が長いといった特徴を持っており、注目を浴びている。
【０００４】
又、ＬＥＤを搭載した照明装置について数多くの技術が特許文献にて公開されており、例えば特許文献１には、平面な基板上に複数のＬＥＤを配置し、この基板をカバーで覆った、見た目は通常の蛍光灯のような照明装置が開示されている。
【先行技術文献】
【特許文献】
【０００５】
【特許文献１】特開２０１０−８０３７２号公報
【発明の概要】
【発明が解決しようとする課題】
【０００６】
しかしながら、引用文献１に示すようなＬＥＤを搭載した照明装置は、基板が平面である為にＬＥＤからの光を広い角度で様々な方向に照射することができない。仮に広角度で光を照射しようとすると、基板を複数（例えば照明装置の底面側に光を照射するための基板、そして、照明装置の左右斜め下方向に光を照射するための基板、の３つ）必要となる。
このように基板を複数設けるとコストアップにつながり、現実的ではない。
【課題を解決するための手段】
【０００７】
本発明はこのような課題を解決するためのものであり、請求項１に記載の照明装置は、複数の半導体発光素子を搭載したフレキシブル基板と、上方部分と下方部分の２つの部分からなると共に前記下方部分の断面が半球状であり前記フレキシブルプリント基板を固定するための支持部材と、をカバー内に配置した照明装置であり、前記支持部材の前記下方部分に、当該下方部分の半球状部分表面に沿うように前記フレキシブルプリント基板を装着したことを特徴とする。
請求項２に記載の照明装置は、請求項１に記載の照明装置であり、前記フレキシブルプリント基板にはその短手方向の両側と中央に半導体発光素子が配置されることを特徴とする。
【発明の効果】
【０００８】
請求項１に記載の発明によると、支持部材の半球状の下方部分に、表面に沿うようにフレキシブルプリント基板を装着した構成である為に、照明装置を天井に配置した際に、半導体発光素子からの光を広い角度で放出させることが可能である。
請求項２に記載の照明装置によると、請求項１に記載の照明装置であり、更に、フレキシブルプリント基板にはその短手方向の両側と中央に半導体発光素子が配置されている構成である為に、照明装置を天井に配置した際に、照明装置の左右斜め下方向と直下方向に半導体発光素子からの光を放出させることができ、その結果、半導体発光素子からの光を広い角度で放出させることができる。
【図面の簡単な説明】
【０００９】
【図１】本発明を適用してなる実施例装置の斜視図である。
【図２】本実施例装置の分解斜視図。
【図３】本実施例装置の部分拡大図である。
【図４】本実施例装置の断面図である。
【図５】本実施例装置である照明装置を天井に取り付けた際の側面図である。
【発明を実施するための形態】
【００１０】
次に、本発明を適用してなる一実施例について詳細に説明する。本実施例装置では、ＬＥＤを搭載した蛍光灯型の照明装置について実施するが、ＬＥＤ等の半導体発光素子を搭載した照明装置であれば、蛍光灯型以外の照明装置についても同様に実施可能である。
【実施例】
【００１１】
図１は本実施例装置である照明装置の斜視図を示している。図１において、本実施例装置は、ＬＥＤを複数搭載したＬＥＤ基板を内蔵した例えばポリカーボネイトからなる本体カバー１と、本体カバー１両端に形成された端子カバー２及び端子３からなる。
ユーザはこの照明装置の端子３を通常の蛍光灯と同じように、天井に配置されているソケットに挿入することにより、使用することが可能である。
図２は本実施例装置の分解斜視図である。図２に示すように、本体カバー１の内方には、複数のＬＥＤ４を搭載したフレキシブルプリント基板５が、例えばポリカーボネイトからなる支持体６の表面に沿うように例えば接着剤や両面テープ等で貼り付けられている。また、支持体６の長手方向の両側には凸部６−３が形成されており、この凸部６−３を端子カバー２に搭載されている凹部（図示せず）に嵌め込むことにより、支持体６を端子カバー２に装着することが可能である。
図３は、図２に示す照明装置の円で示す部分の部分拡大図である。図３において、支持体６には、ＬＥＤ４−１、４−２、４−３が複数搭載されたフレキシブルプリント基板５が貼り付けられている。尚、図示していないが、端子カバー２にはリード線を介してコネクタが電気的に接続されており、コネクタをフレキシブルプリント基板５に形成されているコネクタと接続することにより、外部からの電力をフレキシブルプリント基板５のＬＥＤ４に供給することが可能である。
尚、本実施例装置では、商用電力を、ＬＥＤ４を駆動するための電力に変換するための回路基板を、照明装置を取り付ける天井部分に配置しているが、この回路基板を照明装置本体に取り付けた構成としても良い。
図４は図１に示す照明装置のＡ−Ａ‘線断面図である。図４に示すように、本実施例装置の支持体６は、上側半分の上方部分６−１と下側半分の下方部分６−２とからなる。下方部分６−２と上方部分６−１は夫々断面が略半球状であり、下方部分６−２の表面に沿うようにフレキシブルプリント基板５が接着される。又、図４に示すように、フレキシブルプリント基板５の短手方向略中央にはＬＥＤ４−１が配置されており、短手方向左右両側には、ＬＥＤ４−２、ＬＥＤ４−３が配置されている。ＬＥＤ４−１からの光は照明装置の底面側方向に向かって放射され、一方、ＬＥＤ４−２、４−３は、ＬＥＤ４−１を基準として夫々約７０度〜８０度の角度で配置されているため、照明装置の底面側を基準として約７０度〜８０度の方向までも光を照射することが可能である。
尚、フレキシブルプリント基板５を、支持体６の下方部分６−２だけでなく上方部分６−１にも配置する、言い換えれば、支持体６の周囲を囲うようにフレキシブルプリント基板５を支持体６に貼り付ける構造も考えられるが、本実施例装置のような蛍光灯型の照明装置を使用する場合には、照明装置を天井に取り付けて使用する為、天井側にも光を照射する必要性はあまりない。換言すれば、支持体６の上方部分６−１にＬＥＤ４を搭載する必要性はなく、仮にＬＥＤ４を上方部分６−１に配置するとコストアップを招くこととなる。
このような理由から、照明装置を通常の蛍光灯のように使用する場合には、本実施例装置のようにＬＥＤ４を下方部分６−２だけに配置することがコストの面からしても好ましい。
図５は本実施例装置である照明装置を天井に取り付けた状態を横から見た側面図である。ユーザがこの照明装置を天井に取り付ける際には、照明装置を左右の口金８に取り付けることにより天井に取り付けることが可能である。
尚、照明装置は  長手方向の長さ（ａ）が約１１９８ｍｍ、両端の端子３を含めると  長手方向の長さ（ｂ）が約１２１２．６ｍｍである。又、端子カバー２部分の直径（ｃ）は約３２．５ｍｍである。
以上説明したように、本実施例装置である照明装置は、フレキシブルプリント基板５の短手方向略中央にはＬＥＤ４−１が配置されており、フレキシブルプリント基板５の短手方向の左右両側には、ＬＥＤ４−２、ＬＥＤ４−３が配置されている。ＬＥＤ４−１からの光は照明装置の底面側方向に向かって放射され、一方、ＬＥＤ４−２、４−３は、ＬＥＤ４−１を基準として夫々約７０度〜８０度の角度で配置されているため、照明装置の底面側だけでなく、照明装置の底面側を基準として約７０度〜８０度の方向までも光を照射することが可能である。
【００１２】
また、ＬＥＤ４を支持体６の下方部分６−２側のみに配置しているために、天井側に向かって無駄な光の照射を行うことを回避することが可能であり、更には、消費電力を抑制し尚且つＬＥＤ等の部品を搭載することにより生じるコストアップを回避することが可能である。
【符号の説明】
【００１３】
１  本体カバー
２  端子カバー
３  端子
４  ＬＥＤ
４−１  ＬＥＤ
４−２  ＬＥＤ
４−３  ＬＥＤ
５  フレキシブルプリント基板
６  支持体
６−１  上方部分
６−２  下方部分
６−３  凸部
【図１】
2011228200.tif 000003
【図２】
2011228200.tif 000004
【図３】
2011228200.tif 000005
【図４】
2011228200.tif 000006
【図５】
2011228200.tif 000007